【手続補正書】
【提出日】平成19年12月28日(2007.12.28)
【手続補正１】
【補正対象書類名】特許請求の範囲
【補正対象項目名】全文
【補正方法】変更
【補正の内容】
【特許請求の範囲】
【請求項１】
兵器のバレルから発射される発射体であって、前記バレルは、内径を備え、
当該発射体は、軸上において向かい合う第１および第２の端と、前記第１の端および前記第２の端の間に、ある量の第１の推進薬を保持するためのキャビティとを備えたほぼ円筒状のボディーを有し、
前記第１の端は、前記ボディーに固定されたノーズにより閉塞されており、
前記円筒状のボディーは、前記バレルの前記内径よりも小さい第１の外径と、前記ボディーの外周面の周囲の周りに延びる少なくとも１つの溝とを備え、前記少なくとも１つの溝にシールがそれぞれ装着されており、各シールは、前記ボディーとは別々に形成され、さらに、前記ボディーからラジアル方向に突き出しており、前記バレルの内周面との間において実質的なシールが形成され、各シールは、それぞれ、前記内径よりも大きいまたは同等の第２の外径を備えている、発射体。
【請求項２】
請求項１において、各溝は、第１の部分と第２の部分とを含み、前記第１の部分は、当該発射体の発射方向において、前記第２の部分の前方で、前記第２の部分よりも深い、発射体。
【請求項３】
請求項２において、前記第１の部分は、前記それぞれのシールの幅と同等の幅を有している、発射体。
【請求項４】
請求項２において、前記第２の部分は、前記それぞれのシールの変形した部分が入るような形状に形成されている、発射体。
【請求項５】
請求項４において、前記第２の部分は、前記それぞれのシールの幅と同等の深さを有している、発射体。
【請求項６】
請求項２ないし５のいずれかにおいて、前記第２の部分は、前記第２の外径と前記第１の外径との間の差よりも大きな幅を有している、発射体。
【請求項７】
請求項１ないし６のいずれかにおいて、前記第１の端の近傍に第１のシールが設けられているとともに、前記第２の端の近傍に第２のシールが設けられており、
前記第１および第２のシールの外径は、前記兵器の前記バレルに繋がるブリーチの内径と少なくとも等しく、これにより、当該発射体の前記第２の端が前記ブリーチにおいて支持可能とされる、発射体。
【請求項８】
兵器のバレルから発射される発射体であって、前記バレルは、バレル材料により形成されているとともに、内径を備えており、
当該発射体は、
軸上において向かい合う第１および第２の端と、前記第１の端および前記第２の端の間に、ある量の推進薬を保持するためのキャビティとを備えたほぼ円筒状のボディーを有し、前記第１の端は、前記ボディーに固定されたノーズにより閉塞されており、前記円筒状のボディーは、前記バレルの前記内径よりも小さい第１の外径を備え、前記円筒状のボディーは、第１の材料により形成されており、
当該発射体は、さらに、
前記ボディーの外周面の周りに延びる少なくとも１つのシールを有し、各シールは、前記バレルの内周面に対して実質的なシールが形成されるように前記ボディーからラジアル方向に突き出しているとともに、前記第１の外径よりも大きくかつ前記バレルの前記内径と同等またはそれよりも大きい第２の外径を備え、前記少なくとも１つのシールは、第２の材料により形成されており、
前記第２の材料は、前記バレル材料よりも軟らかく、前記第１の材料は、前記第２の材料よりも硬い、発射体。
【請求項９】
請求項８において、当該発射体は、少なくとも２つのシールを含み、第１のシールは、前記ボディーの前記第１の端の近くに配置され、第２のシールは、前記ボディーの前記第２の端の近くに配置されている、発射体。
【請求項１０】
請求項８または９において、前記円筒状のボディーには、前記少なくとも１つのシールのそれぞれのために溝が設けられており、各溝は、前記ボディーの外周面の周りに延びている、発射体。
【請求項１１】
請求項１０において、各溝は、第１の部分と第２の部分とを含み、前記第１の部分は、当該発射体の発射方向において、前記第２の部分の前方で、前記第２の部分よりも深い、発射体。
【請求項１２】
請求項１１において、前記第１の部分は、前記シールの幅と同等の幅を有している、発射体。
【請求項１３】
請求項１１または１２において、前記第２の部分は、前記シールの幅と同等の深さを有している、発射体。
【請求項１４】
請求項１１ないし１３のいずれかにおいて、前記第２の部分は、前記第２の外径と前記第１の外径との間の差よりも大きな幅を有している、発射体。
【請求項１５】
請求項８ないし１４のいずれかにおいて、前記第１の材料は、スチールを含んでいる、発射体。
【請求項１６】
請求項８ないし１４のいずれかにおいて、前記第１の材料は、真ちゅうを含んでいる、発射体。
【請求項１７】
請求項８ないし１６のいずれかにおいて、前記第２の材料は、銅を含んでいる、発射体。
【請求項１８】
請求項８ないし１７のいずれかにおいて、前記シールの少なくとも１つは、前記ボディーとは別々に形成されている、発射体。
【請求項１９】
請求項１８において、各シールは、リング形状である、発射体。
【請求項２０】
請求項８ないし１９のいずれかにおいて、前記第１の端の近傍に第１のシールが設けられているとともに、前記第２の端の近傍に第２のシールが設けられており、
前記第２のシールは、前記バレルの前記内径よりも大きな外径を備えており、これにより、当該発射体の前記第２の端は、前記兵器の前記バレルに繋がるブリーチにおいて支持可能とされる、発射体。
【請求項２１】
兵器のバレルから発射される発射体であって、前記バレルは、内径を備え、
当該発射体は、
軸上において向かい合う第１および第２の端と、前記第１の端および前記第２の端の間に、ある量の推進薬を保持するためのキャビティとを備えたほぼ円筒状のボディーを有し、前記第１の端は、前記ボディーに固定されたノーズにより閉塞されており、前記円筒状のボディーは、前記バレルの前記内径よりも小さい第１の外径を備えており、
当該発射体は、さらに、
前記ボディーの外周面の周りに延びる、狭い間隔で設けられた複数のシールを少なくとも２つのセット有し、各シールは、前記バレルの内周面に対して実質的なシールが形成されるように前記ボディーからラジアル方向に突出し、前記第１の外径よりも大きく、かつ、前記バレルの前記内径と同等またはそれよりも大きい第２の外径を備えており、
シールの第１のセットは、前記第１の端の近くに配置されており、シールの第２のセットは、前記第２の端の近くに配置されている、発射体。
【請求項２２】
請求項１ないし２１のいずれかにおいて、各シールは、前記バレルの前記内周面と接触するシールとなるように変形される、発射体。
【請求項２３】
兵器のバレルから発射される発射体であって、前記バレルは、内径を備え、
当該発射体は、
軸上において向かい合う第１および第２の端と、前記第１の端および前記第２の端の間に、ある量の推進薬を保持するためのキャビティとを備えたほぼ円筒状のボディーを有し、前記第１の端は、閉塞されており、前記円筒状のボディーは、前記バレルの前記内径よりも小さい第１の外径を備えており、
当該発射体は、さらに、
前記ボディーの外周面の周りに延びる少なくとも１つのシールを有し、各シールは、前記バレルの内周面に対して実質的なシールが形成されるように前記ボディーからラジアル方向に突き出しているとともに、前記第１の外径および前記バレルの前記内径の双方よりも大きい第２の外径を備え、前記少なくとも１つのシールは、第２の材料により形成されており、
当該発射体は、さらに、
前記ボディーに取り付けられ、前記第１の端の先に延びた塊を有する、発射体。
【請求項２４】
請求項２３において、前記塊は、前記ボディーの前記第１の端の近傍の部分を囲むスカートを含む、発射体。
【請求項２５】
請求項２４において、前記スカートは、ラジアル方向内部に突き出た少なくとも１つの部材が設けられた内周面を含み、前記ボディーは、前記少なくとも１つの部材を受けるための少なくとも１つのシートを含み、それにより、当該ボディーに対して前記塊が取り付けられている、発射体。
【請求項２６】
請求項２４において、前記スカートは、１つの部材を含み、前記ボディーは、シートを含み、前記部材は、周りに設けられたリップであり、前記シートは、前記リップを受ける溝である、発射体。
【請求項２７】
請求項２６において、前記スカートは、前記ボディーと当該発射体が発射される前記兵器の前記バレルの内周面との間に実質的なシールを形成するために、前記ボディーのラジアル方向に延びている、発射体。
【請求項２８】
兵器のバレルから発射される発射体であって、前記バレルは、内径を備え、
当該発射体は、
軸上において向かい合う第１および第２の端と、前記第１の端および前記第２の端の間に、ある量の推進薬を保持するためのキャビティとを備えたほぼ円筒状のボディーを有し、前記第１の端は、前記ボディーに固定されたノーズにより閉塞されており、前記円筒状のボディーは、前記バレルの前記内径よりも小さい第１の外径を備えており、
当該発射体は、さらに、
前記ボディーの外周面の周りに延びる少なくとも１つのシールを有し、各シールは、前記バレルの内周面に対して実質的なシールが形成されるように前記ボディーからラジアル方向に突き出しているとともに、第２の外径を備えており、
前記少なくとも１つのシールには、前記バレルを通って当該発射体が発射されるように前記バレルを滑らかにするための潤滑手段が設けられている、発射体。
【請求項２９】
請求項２８において、前記潤滑手段は、各シールに塗られた潤滑材料のコーティングを含んでいる、発射体。
【請求項３０】
請求項２８において、前記潤滑手段は、潤滑剤を含んでおり、この潤滑剤は、当該発射体が前記バレルを通って発射されると、前記シールが破裂し、前記潤滑剤が放出されるように、各シール内に含まれている、発射体。
【請求項３１】
請求項１ないし３０のいずれかにおいて、各シールは、潤滑材料を含んでいる、発射体。
【請求項３２】
請求項１ないし３１のいずれかにおいて、前記推進薬を発火させるためのプライマーをさらに有し、前記プライマーは、前記円筒状のボディーにより保持されているとともに、前記円筒状のボディーの前記第２の端よりも内側に配置されている、発射体。
【請求項３３】
請求項３２において、前記円筒状のボディーの前記第２の端を閉塞しているベースシールであって、当該ベースシールにより前記プライマーが保持されるようになっている、ベースシールをさらに有し、
前記ベースシールは、前記推進薬の爆燃の間に発生するガスが前記円筒状のボディーの前記第２の端から放出されるように、前記プライマーの発火の後に開く、発射体。
【請求項３４】
請求項３３において、前記ベースシールは、前記推進薬の爆燃の間に発生するガスにより当該ベースシールが破裂するように形成されており、これにより、前記ベースシールが開く、発射体。
【請求項３５】
請求項３４において、前記ベースシールは、前記推進薬の爆燃の間に消失するように形成されており、これにより、前記ベースシールが開く、発射体。
【請求項３６】
請求項３３ないし３５のいずれかにおいて、前記ベースシールの中にフラッシュホールが設けられており、前記プライマーの発火により生じた炎が前記フラッシュホールを通って前記推進薬に伝わる、発射体。
【請求項３７】
請求項１ないし３６のいずれかにおいて、前記キャビティの内部に配置されたスリーブをさらに有し、前記推進薬は、前記スリーブ内に収容されている、発射体。
【請求項３８】
請求項３７において、前記第１の端の側の前記スリーブの端は閉塞されている、発射体。